(57)【要約】【課題】本発明はラインフィルタに関するものであり、低背で回路基板に対する端子位置精度の高いラインフィルタを提供することを目的とするものである。【解決手段】２個のコイル部１２ａ、１２ｂを収納するケース１７において、底板１８から上方に突出する２枚の側板１５と中間板１６とを備え、前記ケースの底板１８の内面側と、コイル部１２ａ、１２ｂの端子側の底面部とが接するように構成したところに特徴を有するものである。【選択図】図２
2006032659.tif 000002
【特許請求の範囲】
【請求項１】
中空部を有し、底面側に端子を有するコイルボビンと、前記コイルボビンに巻線を施した２個のコイル部と、前記２個のコイル部を収納するためのケースと、前記２個のコイル部を収納するためのケースと、前記ケースに収納された２個のコイル部の両側から中空部に挿入して閉磁路を形成するための少なくとも２個のＵ型閉磁路磁心と、前記少なくとも２個の閉磁路磁心の一部および前記ケースの一部とも接して一体化するためのコの字状のコアバンドとを備え、前記ケースは底板から上方に突出した２枚の側板と前記２個のコイル部の間から上方に突出した中間板とからなるとともに、前記ケース底板の内面側と前記コイル部品の端子側の底面部とが接するように構成されたラインフィルタ。
【請求項２】
前記ケースにおいて両側板にコイルボビン挿入のためのガイドを設けた請求項１記載のラインフィルタ。
【請求項３】
前記ケースにおけるガイドの先端に丸みを設けた請求項２記載のラインフィルタ。
【請求項４】
前記ケースにおいて両側板にコイルボビン固定のための係止部を設けた請求項１記載のラインフィルタ。
【請求項５】
前記ケースにおいて中間板にコイルボビン固定のための係止部を設けた請求項１記載のラインフィルタ。
【請求項６】
前記ケースにおいて中間板の側面にボビン嵌合位置あわせ突起を設けた請求項１記載のラインフィルタ。
【請求項７】
前記ケースにおけるボビン嵌合位置あわせ突起は中間板側面下部とした請求項６記載のラインフィルタ。
【請求項８】
前記ケースにおいて底板に補強部を設けた請求項１記載のラインフィルタ。
【請求項９】
前記ケースにおいて底板を部分的に切り取った請求項１記載のラインフィルタ。
【請求項１０】
前記ケースにおいて前記側板の高さは前記コイルボビンの高さの２分の１以上、または前記コアバンドの上面、のどちらか高い方の位置以上とした請求項１記載のラインフィルタ。
【請求項１１】
前記ケースにおいて前記中間板の高さは前記コイルボビンの高さ以上とした請求項１記載のラインフィルタ。
【発明の詳細な説明】
【技術分野】
【０００１】
本発明は施設照明用電源などに使用される１次側ノイズ対策用のラインフィルタに関するものである。
【背景技術】
【０００２】
一般にラインフィルタは電源線路における一対の線路とアース間で発生するコモンモードノイズ成分を主に防止するために用いられ、その電気回路は図８のように構成されている。すなわち、８１は閉磁路磁心であり、ライン電流により発生する磁束がこの閉磁路磁心８１を磁気飽和させないように巻線８２及び８３が設けられており、この巻線８２、８３は互いにライン電流により発生する磁束を打ち消し合う方向に配設されている。
【０００３】
次に、具体的構造の一例としては図９に示されるようなものがあり、（ａ）はその断面図、（ｂ）はその斜視図を示す。
【０００４】
図において、９７はポリブチレンテレフタレートなどの樹脂からなるケースであり、天板９７ａから下方に突出した両側板９５と中間に同じく下方に突出する中間板９６とから構成されており、断面はＥ型の形状となっている。そして、そのＥ型形状のケース９７内にコイル部９２ａとコイル部９２ｂとが中間板９６をはさんで嵌合するように組み込まれている。
【０００５】
ここで、コイル部９２ａ、９２ｂは中空部９１ａ、９１ｂを有したフェノール樹脂などの熱硬化性樹脂からなるコイルボビン９３ａ、９３ｂと絶縁被膜銅線からなる巻線９４ａ、９４ｂとから構成されており、コイル部９２ａの巻線９４ａとコイル部９２ｂの巻線９４ｂは巻線方向が逆で、かつ、巻数が同一になるように構成されている。
【０００６】
また、コイルボビン９３ａ、９３ｂに巻線９４ａ、９４ｂを施し、コイルボビン９３ａ、９３ｂの底面側に設けられた金属端子９０に巻きつけて、はんだディップにより接続固定されている。
【０００７】
このとき、コイル部９２ａ、９２ｂはケース９７の天板９７ａの内面側がコイル部９２ａ、９２ｂの上面側と接するよう、すなわちケース９７がコイル部９２ａ、９２ｂを覆うように組み込まれている。
【０００８】
次に、コイル部９２ａ、９２ｂのコイルボビン９３ａ、９３ｂに設けられた中空部９１ａ、９１ｂには、両サイドからフェライト等からなる２個のＵ型の閉磁路磁心９９が挿入されるとともに、ステンレス等のバネ用金属板からなるコアバンド１００を閉磁路磁心９９及び一方の側板９５の外周部に装着することにより、ケース９７と閉磁路磁心９９とを一体保持させている。
【０００９】
さらに、両コイルボビン９３ａ，９３ｂの側面側には、ケース９７の側板９５と接する面に嵌合溝１０１を設け、ケース９７の側板９５の４ヶ所にコイルボビン９３ａ，９３ｂの嵌合溝１０１に嵌合する嵌合突起１０２を設けて、ケース９７に両コイル部９２ａ、９２ｂを組み込む際に嵌合させる構造としている。
【００１０】
このような構成により、一磁路上に効率よく２個の巻線を配置することができ、従ってスペースファクタに優れ、インダクタンス値の向上を図ることができる。また、磁心とコイルボビンの断面形状を同一形状にすることができるので、磁心とコイルボビン間に無駄なスペースが生じることのない、低背化に適したものであった。
【００１１】
なお、この出願の発明に関連する先行技術文献情報としては、例えば、特許文献１が知られている。
【特許文献１】特許第２６７４３２１号公報
【発明の開示】
【発明が解決しようとする課題】
【００１２】
従来のこの種のラインフィルタはケースに組み込む構造とする必要があった。これは、主に電流の流れる巻線部を保護するための絶縁距離を確保することを目的とするものであった。
【００１３】
しかし、ポリプロピレンやナイロンなど、絶縁フィルムの薄膜加工技術が向上したことにより、絶縁方式が各部品で絶縁距離を確保する方式から各部品全体をフィルムで絶縁する方式へと変化してきた。このような技術背景の変化により、各部品で絶縁距離を確保することより、各部品で低背化することが一層重要視されてきた。
【００１４】
前記従来のラインフィルタはケース天板が必要不可欠の構成部品であったので低背化しにくくなる構造であった。
【００１５】
さらに、従来のこの種のラインフィルタは２個のコイル部を上部から保持する構造であるため、コアバンドなどで横方向から保持しても、回路基板に対し、端子位置のズレなどが発生してしまうものであった。従来例における底板にも絶縁性確保の機能は有しているが、端子位置保持という機能はなく、従って端子位置ズレに起因する実装時の不具合を引き起こしてしまうという課題を有していた。
【００１６】
本発明は前記従来の課題を解決するもので、低背化と端子位置精度の高いラインフィルタを提供することを目的とするものである。
【課題を解決するための手段】
【００１７】
前記目的を達成するために本発明は、前記コイル部を収納する前記ケースの両側板および中間板を底板側で固定することにより、前記コイル部を底部側から保持するという構成にすることに特徴を有するものである。
【発明の効果】
【００１８】
本発明は前記特徴構成により、従来のように前記コイル部を上部から覆っていた天板が取り除かれることで、低背化を図ることができる。
【００１９】
また、従来のように回路基板に対する端子位置ズレが発生しないため実装時における不具合を削除することができる。
【発明を実施するための最良の形態】
【００２０】
（実施の形態１）
図１は、本発明における実施の形態１のラインフィルタの断面図を示し、図２は斜視図、図３〜図６は組立ての概要斜視図である。
【００２１】
図１〜図５において、１７はポリブチレンテレフタレートなどの樹脂からなるケースであり、両側板１５と両側板１５の中間にある中間板１６と底板１８とから構成され、底板１８によって両側板１５と中間板１６が保持されており、断面Ｅ型の形状となっている。そして、そのＥ型形状のケース１７内にコイル部１２ａとコイル部１２ｂとが中間板１６をはさんで嵌合するように組み込まれている。
【００２２】
ここで、コイル部１２ａ、１２ｂは中空部１１ａ、１１ｂを有したフェノール樹脂などの熱硬化性樹脂からなるコイルボビン１３ａ、１３ｂと絶縁被膜銅線からなる巻線１４ａ、１４ｂとから構成されており、コイル部１２ａの巻線１４ａとコイル部１２ｂの巻線１４ｂは巻線方向が逆で、かつ、巻数が同一になるように構成されている。
【００２３】
また、コイルボビン１３ａ、１３ｂに巻線１４ａ、１４ｂを施し、コイルボビン１３ａ、１３ｂの底面側に設けられた金属端子１０に巻きつけて、はんだディップにより接続固定されている。
【００２４】
これらの巻線１４ａ、１４ｂを施したコイル部１２ａ、１２ｂを、前記両側板１５と中間板１６間に収納部を形成したケース１７に底板１８の内面側とコイル部１２ａ、１２ｂの端子側の底面部とが接するように組み込む。
【００２５】
すなわち、従来例の構成が、コイル部９２ａ、９２ｂの上面側（金属端子９０が設けられた面とは反対の面）がＥ型形状のケース９７の天板９７ａの内面側と接する構成であるのに対し、本実施の形態の構成がコイル部１２ａ、１２ｂの下面側（金属端子１０が設けられた面）がＥ型形状のケース１７の底板１８の内面側に接する構成である点に特徴を有している。
【００２６】
次に、前記両コイル部１２ａ、１２ｂのコイルボビン１３ａ、１３ｂに設けられた中空部１１ａ、１１ｂには、両サイドからフェライト等からなる２個のＵ型の閉磁路磁心１９が挿入されるとともに、ステンレス等のバネ用金属板からなるコアバンド２０を閉磁路磁心１９及び一方の側板１５の外周部に装着することにより、前記ケース１７と閉磁路磁心１９とを一体保持させている。
【００２７】
なお、必要に応じて図６に示すように、ケース１７とコアバンド２０の接する領域（接着領域）２０ａ付近を接着剤などで固定する。
【００２８】
以上のように本実施の形態では従来例の構成から、ケース９７がコイル部９２ａ、９２ｂを底面側から保持させているという特徴構成にするだけで以下のような効果を奏する。
【００２９】
まず、本実施の形態によれば、従来の構成では、図９において、上部からケース９７を被せる形でコイル部９２ａ、９２ｂを保持していたので、その構成上、天板が必要であったものが、本実施の形態によると天板が不必要になり、低背化が可能になった。元来、コイル部９２ａにおける端子と巻線９４ａをはんだで結合する際に、はんだ付けのいわゆるはんだ逃げ領域としてコイルボビン９３ａの底部に一定の隙間が必要になるものであった。本実施の形態によると、この隙間にケース１７を保持させるための部材、すなわち底板１８を配置させ、いわゆるはんだ逃げ領域とケース１７の保持部材配置スペースを兼ねた有効活用を図ることができているのである。
【００３０】
また、従来の構成によるとコイル部９２ａ、９２ｂはケース９７に組み込まれており、コイル部９２ａ、９２ｂから発生するジュール熱はラインフィルタ内に蓄積し、この熱により、結果的に部品としての信頼性低下を引き起こしていた。
【００３１】
しかし、本実施の形態によると、天板がないため、放熱性も格段に向上し、部品の信頼性向上も図ることができるものである。
【００３２】
さらに、従来の構成によると２個のコイル部９２ａ、９２ｂをケース９７により上部から保持する構造であるため、コアバンド１００などで横方向から保持しても、回路基板に対し、端子位置のズレなどが発生してしまうが、本実施の形態によれば、２個のコイル部１２ａ、１２ｂの端子直近で保持するという構成なので、端子位置ズレも発生することなく、端子位置精度も格段に向上するものである。
【００３３】
図７（ａ）は前記ケースの斜視図、図７（ｂ）〜（ｅ）は前記ケースの三面図である。図７（ａ）〜（ｅ）において、前記ケース１７の両側板１５にはコイル部１２ａ、１２ｂのためのガイド１５ａを設けている。これによってコイル部１２ａ、１２ｂの挿入を容易にするとともに両側板１５の強度も向上させることができる。また、このガイドの先端に丸み１５ｂを設けることで、コイル部１２ａ、１２ｂ挿入時の部品欠けを防ぐことができる。
【００３４】
また図７（ａ）〜（ｅ）において、前記ケース１７の両側板１５に係止部１５ｃを設けている。これによりケース１７のコイル部１２ａ、１２ｂへの上下方向の保持が強化され、安定した特性を引き出すことができる。なお、この係止部は中間板１６にあってもよいものとする。
【００３５】
また図７（ａ）において、前記ケース１７の中間板１６にコイル部１２ａ、１２ｂの嵌合位置あわせのための突起１６ａを設けている。これは、ケース１７におけるコイル部１２ａ、１２ｂの水平方向の保持を強化するもので、これにより２個のコイル部１２ａ、１２ｂの相対的な位置ズレが発生することなく安定した特性を引き出すことができる。なお、図７（ａ）では、突起１６ａは中間板１６の側面下部としたが、これは中間板１６において、閉磁路磁心１９の取り付けを阻害しなければどの位置でもよいものとする。
【００３６】
また図７（ｄ）において、前記ケース１７の底板１８に補強部１８ａを設けている。これは、コイル部１２ａ、１２ｂを保持する機能を有している底板１８のねじれやたわみに対する強度を向上させるとともに、コイル部１２ａ、１２ｂの端子位置の精度も向上するものである。
【００３７】
また図７（ｂ）および（ｄ）において、前記ケース１７の底板１８に部分的な切り込み１８ｂを設けている。これにより、コイル部１２ａ、１２ｂにおける端子と巻線１４ａ、１４ｂをはんだで結合する際に必要となる、はんだ逃げ領域を平面的に広く確保することができる。また、コイル部１２ａ、１２ｂからのジュール熱による下面方向への放熱効果も向上するものである。
【００３８】
また図７（ｃ）および（ｅ）において、前記ケース１７の両側板１５の高さはコイルボビン１３ａ、１３ｂの高さの２分の１以上、またはコアバンド２０の上面、のどちらか高い方とした。これは、両側板１５はコイル部１２ａ、１２ｂを保持するとともに、コイル部１２ａ、１２ｂの横方向の絶縁距離を確保する機能を有しており、本ラインフィルタを作業者が取り扱う際にコイル部１２ａ、１２ｂの巻線部分に触れるのを防ぎ、安全性向上を図るものである。
【００３９】
また図７（ｃ）および（ｅ）において、前記ケース１７の中間板１６の高さはコイルボビン１３ａ、１３ｂの高さ以上とした。これは、２個ある両コイル部１２ａ、１２ｂそれぞれの接触を避け、絶縁距離を確保する目的を有しており、これにより安全性向上を図るものである。
【産業上の利用可能性】
【００４０】
以上のように、本発明にかかるラインフィルタは、低背化とともに端子位置精度の高さが必要な電子機器等の装置に適用できる。
【図面の簡単な説明】
【００４１】
【図１】本発明の実施の形態１におけるラインフィルタの断面図
【図２】本発明の実施の形態１におけるラインフィルタの斜視図
【図３】本発明の実施の形態１におけるラインフィルタの組立て概要図
【図４】本発明の実施の形態１におけるラインフィルタの組立て概要図
【図５】本発明の実施の形態１におけるラインフィルタの組立て概要図
【図６】本発明の実施の形態１におけるラインフィルタの組立て概要図
【図７】（ａ）本発明の実施の形態１におけるケース１７の斜視図、（ｂ）本発明の実施の形態１におけるケース１７の上面図、（ｃ）本発明の実施の形態１におけるケース１７の正面図、（ｄ）本発明の実施の形態１におけるケース１７の下面図、（ｅ）本発明の実施の形態１におけるケース１７の側面図
【図８】ラインフィルタの電気回路図
【図９】（ａ）従来例におけるラインフィルタの断面図、（ｂ）従来例におけるラインフィルタの斜視図
【符号の説明】
【００４２】
１０，９０  金属端子
１１，９１ａ，９１ｂ  中空部
１２ａ，１２ｂ，９２ａ，９２ｂ  コイル部
１３ａ，１３ｂ，９３ａ，９３ｂ  コイルボビン
１４ａ，１４ｂ，８２，８３，９４ａ，９４ｂ  巻線
１５，９５  側板
１５ａ  ガイド
１５ｂ  丸み
１５ｃ  係止部
１６，９６  中間板
１６ａ  嵌合突起
１７，９７  ケース
１８，９８  底板
１８ａ  補強部
１９，８１，９９  閉磁路磁心
２０，１００  コアバンド
２０ａ  接着領域
１０１  嵌合溝
１０２  嵌合突起
【図１】
2006032659.tif 000003
【図２】
2006032659.tif 000004
【図３】
2006032659.tif 000005
【図４】
2006032659.tif 000006
【図５】
2006032659.tif 000007
【図６】
2006032659.tif 000008
【図７】
2006032659.tif 000009
【図８】
2006032659.tif 000010
【図９】
2006032659.tif 000011